(57)【要約】【課題】スピーカで再生される楽音の良好な音質を確保しながら、本体ケース内に設置すべき音響装置や部品などのレイアウトの自由度を高めることができるとともに、楽器本体をコンパクトに構成することができる電子鍵盤楽器を提供する。【解決手段】上下方向に貫通する開口１２ａを形成した棚板１２を底部に有し、楽器本体２の外殻を構成する本体ケース１１と、楽音を再生するためのスピーカ３２と、上壁３３に開口１２ａよりも大きな開口３３ａを有するとともに、下壁３４に放音孔３４ａを有するボックス状に形成され、放音面３２ａが放音孔３４ａに臨むようにスピーカ３２を収容し、棚板１２の下面に、棚板１２の開口１２ａを覆った状態で取り付けられたスピーカホルダ３１と、スピーカ３２の放音面３２ａ以外の面から放出された音を、棚板１２の開口１２ａおよび本体ケース１１を介して外部に導くための導出部３０ａ、３０ｂと、を備えている。【選択図】図１
2008185763.tif 000002
【特許請求の範囲】
【請求項１】
上下方向に貫通する開口を形成した棚板を底部に有し、楽器本体の外殻を構成する本体ケースと、
楽音を再生するためのスピーカと、
上壁に前記開口よりも大きな開口を有するとともに、下壁に放音孔を有するボックス状に形成され、前記スピーカの放音面が前記放音孔に臨むように当該スピーカを収容し、前記棚板の下面に、前記棚板の前記開口を覆った状態で取り付けられたスピーカホルダと、
前記本体ケースに設けられ、前記スピーカの前記放音面以外の面から放出された音を、前記棚板の前記開口および前記本体ケースを介して外部に導くための導出部と、
を備えていることを特徴とする電子鍵盤楽器。
【請求項２】
前記スピーカは、全音域の再生用のスピーカであることを特徴とする請求項１に記載の電子鍵盤楽器。
【発明の詳細な説明】
【技術分野】
【０００１】
本発明は、鍵盤およびその鍵盤の押鍵に伴い楽音を再生するスピーカを備えた電子ピアノなどの電子鍵盤楽器に関する。
【背景技術】
【０００２】
従来の電子鍵盤楽器として、例えば特許文献１に開示された電子ピアノが知られている。この電子ピアノは、ピアノ本体の外殻を構成する本体ケースを備えており、その底部には、鍵盤を載置する棚板が設けられている。また、棚板の下方には、左右方向に延び、棚板とほぼ同じ長さを有する底板が設けられるとともに、この底板と棚板の間に、左右２つの低音用スピーカが設けられている。棚板および底板にはいずれも、左右の所定位置にそれぞれ、上下方向に貫通し、互いに対向する開口が形成されている。各低音用スピーカは、その前面、すなわち主として音を放出する放音面が、底板の開口を上方から覆うとともに、後端部が棚板の開口を介して棚板上に突出した状態で、底板上に取り付けられている。また、棚板上には、左右の開口およびそれぞれの開口から突出した低音用スピーカの後端部を覆うように、左右２つのボックス状のスピーカカバーが取り付けられている。さらに、棚板と底板の間の左右方向の中央部には、棚板と底板で画成されるスペースを左右に仕切る仕切板が取り付けられている。以上のように、この電子ピアノでは、底板が低音用スピーカのバッフル板として機能するとともに、底板、棚板、スピーカカバーおよび仕切板などによって、各低音用スピーカを収容するスピーカボックス（エンクロージャ）が構成されている。
【０００３】
また、この電子ピアノには、上述した２つの低音用スピーカに加えて、２つの高音用スピーカが設けられている。これらの高音用スピーカは、本体ケース内の左右の所定位置に、それぞれの放音面が、前方の演奏者側に向くように配置されている。
【０００４】
以上のように構成された電子ピアノでは、鍵盤が押鍵されると、楽音がその音域に応じて、低音用スピーカおよび／または高音用スピーカによって再生される。このように、従来の電子ピアノでは、低音域および高音域の専用のスピーカを備えることによって、良好な音質を有する楽音を再生することが可能である。しかし、ピアノ本体の本体ケース内には、各低音用スピーカごとに、スピーカボックスを構成するためのスピーカカバーが設置されているので、スピーカカバーの容積の分、本体ケース内のスペースが小さくなり、そのため、本体ケース内に設置すべきアンプなどの音響装置や回路基板などの部品のレイアウトが制約されてしまう。また、スピーカカバーは、棚板上の鍵盤の後方に配置されるため、例えば、鍵の前後方向の長さがプラスチック製鍵盤に比べて長い木製鍵盤を備えた電子ピアノでは、本体ケースの奥行き寸法が大きくなり、その結果、ピアノ本体が大型化してしまうという問題もある。
【０００５】
本発明は、以上のような課題を解決するためになされたものであり、スピーカで再生される楽音の良好な音質を確保しながら、本体ケース内に設置すべき音響装置や部品などのレイアウトの自由度を高めることができるとともに、楽器本体をコンパクトに構成することができる電子鍵盤楽器を提供することを目的とする。
【０００６】
【特許文献１】特開平１１−２１９１８０号公報
【発明の開示】
【課題を解決するための手段】
【０００７】
上記の目的を達成するために、請求項１に係る発明は、上下方向に貫通する開口を形成した棚板を底部に有し、楽器本体の外殻を構成する本体ケースと、楽音を再生するためのスピーカと、上壁に開口よりも大きな開口を有するとともに、下壁に放音孔を有するボックス状に形成され、スピーカの放音面が放音孔に臨むようにスピーカを収容し、棚板の下面に、棚板の開口を覆った状態で取り付けられたスピーカホルダと、本体ケースに設けられ、スピーカの放音面以外の面から放出された音を、棚板の開口および本体ケースを介して外部に導くための導出部と、を備えていることを特徴とする。
【０００８】
この構成によれば、上下方向に貫通する開口を形成した棚板が、楽器本体の外殻を構成する本体ケースの底部に設けられており、棚板の下面に、スピーカを収容するボックス状のスピーカホルダが取り付けられている。このスピーカホルダは、上壁に棚板の開口よりも大きな開口を、下壁に放音孔を有しており、その放音孔にスピーカの放音面が臨むようにスピーカを収容するとともに、棚板の開口を覆った状態で棚板に取り付けられている。これにより、スピーカホルダが取り付けられた棚板が、バッフル板として機能するとともに、本体ケースがスピーカボックスとして機能する。そして、スピーカによって再生された楽音のうち、放音面から放出された音は、スピーカホルダの放音孔を介して外部に放音される一方、放音面以外の面から放出された音は、棚板の開口および本体ケース内を通り、導出部を介して外部に導かれ、放音される。
【０００９】
上述したように、スピーカホルダが取り付けられた棚板をバッフル板として利用するとともに、本体ケースをスピーカボックスとして利用するので、従来と異なり、本体ケース内にスピーカカバーを設置しなくても、スピーカで再生される楽音の良好な音質を確保することができる。また、スピーカカバーを省略できる分、本体ケース内のスペースが広くなるので、本体ケース内に設置すべき音響装置や部品などのレイアウトの自由度を高めることができる。さらに、スピーカカバーを省略できることで、鍵の前後方向の長さが比較的長い木製鍵盤を採用する場合でも、本体ケースの奥行き寸法を大きくすることがなく、楽器本体をコンパクトに構成することができる。
【００１０】
請求項２に係る発明は、請求項１に記載の電子鍵盤楽器において、スピーカは、全音域の再生用のスピーカであることを特徴とする。
【００１１】
この構成によれば、スピーカとして、全音域の再生用のスピーカ、いわゆるフルレンジスピーカを採用するので、従来、楽器本体の本体ケース内に設置されていた高音用スピーカを省略しても、スピーカで再生される楽音の良好な音質を確保することができる。また、上記の高音用スピーカを省略する分、本体ケース内のスペースを広くでき、それにより、本体ケース内の音響装置や部品などのレイアウトの自由度をより高めることができる。
【発明を実施するための最良の形態】
【００１２】
以下、図面を参照しながら、本発明の好ましい実施形態を詳細に説明する。図１は、本発明の一実施形態による電子ピアノを示している。同図に示すように、この電子ピアノ１は、ピアノ本体２（楽器本体）と、このピアノ本体２を下方から支持するスタンド３とを備えている。なお、スタンド３は、上下方向に延び、左右方向に所定間隔を隔てて配置された左右一対の脚部４、４を備えており、両脚部４、４の下端部間が、３つのペダル５ａを有するペダル土台５で連結されている。また、このスタンド３の背面側には、両脚部４、４およびペダル土台５にねじ止めされることにより、背板６が取り付けられている。
【００１３】
図１および図２に示すように、ピアノ本体２は、その外殻を構成する本体ケース１１を有している。本体ケース１１は、その底部に、横長矩形状の水平な棚板１２を有しており、この棚板１２、左右一対の側板１３、１３、背板１４、天板１５、および前板１６などにより、ボックス状に形成されている。なお、この本体ケース１１内には、アンプなどの音響装置や回路基板などの部品（いずれも図示せず）が設置されている。
【００１４】
棚板１２上には、鍵盤装置２０が載置されている。この鍵盤装置２０は、左右方向に並んだ多数の鍵２１から成る鍵盤２２と、棚板１２に固定され、鍵盤２２を下方から支持する鍵盤シャーシ２３と、この鍵盤シャーシ２３の後端部に連結されたアクションシャーシ２４と、このアクションシャーシ２４に回動自在に支持され、各鍵２１の押鍵に伴いそれぞれ回動する多数のハンマー２５（１つのみ図示）などを備えている。鍵２１は、木質材から成り、アコースティックピアノの鍵とほぼ同様に構成されている。
【００１５】
図２に示すように、鍵盤シャーシ２３の前後方向（同図の左右方向）の中央部には、多数のバランスピン２６（１つのみ図示）が左右方向に並んで立設されており、各バランスピン２６が、対応する鍵２１の中央部に形成されたバランスピン孔２１ａに遊挿されている。これにより、鍵２１は、押鍵時に、バランスピン２６を中心として上下に揺動する。また、ハンマー２５は、キャプスタン２７を介して、対応する鍵２１の上面後端部に載置されており、押鍵時に、鍵２１によってキャプスタン２７を介して突き上げられることにより、上方に回動する。これにより、ハンマー２５が鍵スイッチ（図示せず）を押圧し、鍵２１の押鍵情報が電子回路（図示せず）に出力され、それに基づいて、後述するスピーカ３２によって楽音が再生される。
【００１６】
また、鍵盤２２の上方には、左右の側板１３、１３間にわたって左右方向に延びる操作パネル２８が設けられている。この操作パネル２８には、音色やボリューム、各種の音響効果などを設定するための複数の操作ボタン２８ａや操作レバー２８ｂなどが設けられ、また、設定された音響効果などを表示する表示器２８ｃなどが設けられている。
【００１７】
さらに、このピアノ本体１には、鍵盤２２を覆うための前後スライド式の鍵盤蓋２９が設けられている。この鍵盤蓋２９は、横長に形成されており、左右両側の前端部および後端部がそれぞれ、対応する側板１３の内面に前後方向に延びるように設けられた前ガイド部１３ａおよび後ガイド部１３ｂにスライド自在に係合している。そして、鍵盤蓋２９を開放した状態では、鍵盤蓋２９と天板１５の前端部との間、および鍵盤蓋２９と操作パネル２８の上端部との間にそれぞれ、若干の隙間３０ａ、３０ｂ（導出部）が形成される。
【００１８】
また、棚板１２の後部には、左右両側の所定位置に、上下方向に貫通し、所定の径を有する円形の開口１２ａ、１２ａが形成されている。そして、棚板１２の下側には、両開口１２ａ、１２の対応する位置にそれぞれ、スピーカホルダ３１を介して、スピーカ３２が設けられている。
【００１９】
図３は、スピーカホルダ３１の斜視図であり、（ａ）は上方から見たときの状態、（ｂ）は逆さにした状態を示している。このスピーカホルダ３１は、ＭＤＦなどから成り、平面形状が矩形状であるとともに比較的高さが低く、上方に大きく開放したボックス状に形成されている。スピーカホルダ３１の上壁３３には、棚板１２の開口１２ａよりも大きな開口３３ａが形成されるとともに、下壁３４には、上下方向に貫通し、スピーカ３２の後述する放音面３２ａよりも若干小さい円形の放音孔３２ａが形成されている。また、同図（ａ）に示すように、下壁３４の４つの隅部にはそれぞれ、上方に開放し、スピーカ３２を下壁３４にねじ止めするためのねじ穴３４ｂが形成されている。さらに、スピーカホルダ３１の４つの隅部にはそれぞれ、上下方向に貫通し、スピーカホルダ３１を棚板１２にねじ止めするための取付け孔３５が形成されている。なお、同図に示すように、各取付け孔３５の下壁３４側の部分は、径が上壁３３側の部分に比べて大きく形成されており、スピーカホルダ３１が棚板１２にねじ止めされたときに、そのねじの頭部を下壁３４から突出しないよう収容する。
【００２０】
スピーカ３２は、人間の可聴音域のほぼ全音域の楽音を再生可能なフルレンジスピーカである。図２に示すように、スピーカ３２は、その放音面３２ａが、スピーカホルダ３１の下壁３４に載置した状態で、放音孔３４ａに臨むとともに、放音面３２ａの反対側（図２では上側）の半部が、上壁３３よりも上方に突出した状態で、スピーカホルダ３１に収容されている。また、スピーカ３２は、放音面３２ａの周囲の部分が下壁３４にねじ止めされることによって、スピーカホルダ３１内に固定されている。
【００２１】
上記のようにスピーカ３２を収容するスピーカホルダ３１は、図２に示すように、上壁３３が棚板１２の下面に当接しかつ開口１２ａを覆うように、棚板１２にねじ止めされている。またこの場合、スピーカ３２は、放音面３２ａの反対側の部分が開口１２ａを介して、棚板１２上に若干突出した状態となる。
【００２２】
図４は、スピーカ３２によって再生された楽音の伝播の方向を矢印で示している。同図に示すように、スピーカ３２で再生された楽音のうち、放音面３２ａから放出された音は、スピーカホルダ３１の放音孔３４ａを介して、下方に放音される。一方、スピーカ３２の放音面３２ａ以外の面、例えば、スピーカ３２の背面（放音面３２ａの裏面を含む）から放出された音は、棚板１２の開口１２ａを介して、本体ケース１１内に伝わる。そして、本体ケース１１内の鍵盤蓋２９の上方に伝わった音は、鍵盤蓋２９と天板１５の前端部との間の隙間３０ａを介して前方に導かれ、放音される。また、鍵盤蓋２９の下方に伝わった音は、鍵盤蓋２９と操作パネル２８の上端部との間の隙間３０ｂを介して前方に導かれ、放音される。なお、本体ケース１１内に伝わった音は、上記の隙間３０ａ、３０ｂに加えて、鍵盤２２と操作パネル２８との間の隙間や、鍵２１同士の隙間などを介することによっても、前方に導かれ、放音される。
【００２３】
以上のように、本実施形態によれば、スピーカホルダ３１が取り付けられた棚板１２をバッフル板として利用するとともに、本体ケース１１をスピーカボックスとして利用するので、従来と異なり、本体ケース１１内にスピーカカバーを設置しなくても、スピーカ３２で再生される楽音の良好な音質を確保することができる。また、スピーカカバーを省略できる分、本体ケース１１内のスペースが広くなるので、本体ケース１１内に設置すべき音響装置や部品などのレイアウトの自由度を高めることができる。さらに、鍵盤２２の鍵２１は、プラスチック製鍵盤のそれに比べて長いものの、上述したように、スピーカカバーを省略できることにより、本体ケース１１の奥行き寸法を大きくすることがなく、ピアノ本体２をコンパクトに構成することができる。
【００２４】
また、スピーカ３２として、フルレンジスピーカを採用するので、従来、ピアノ本体の本体ケース内に設置されていた高音用スピーカを省略しても、スピーカ３２で再生される楽音の良好な音質を確保することができる。さらに、上記の高音用スピーカを省略する分、本体ケース１１内のスペースを広くでき、それにより、本体ケース１１内の音響装置や部品などのレイアウトの自由度をより高めることができる。
【００２５】
なお、本発明は、説明した上記実施形態に限定されることなく、種々の態様で実施することができる。例えば、実施形態では、スピーカ３２として、フルレンジスピーカを採用したが、これに代えて、低音用スピーカを採用するとともに、高音用スピーカを本体ケース１１の内部または外部に設置することも可能である。この場合には、フルレンジスピーカを採用する場合に比べて、高音用スピーカの分、スピーカの数が多くなるものの、実施形態の上述した効果とほぼ同様の効果を得ることができる。また、実施形態で示した本外ケース１１やスピーカ３２、スピーカホルダ３１の細部の構成などは、あくまで例示であり、本発明の趣旨の範囲内で適宜、変更することができる。
【図面の簡単な説明】
【００２６】
【図１】本発明の一実施形態による電子ピアノを示しており、（ａ）正面図、（ｂ）Ａ−Ａ線に沿うピアノ本体の内部を示す図である。
【図２】図１（ｂ）のピアノ本体を拡大して示す図である。
【図３】スピーカホルダを示す斜視図であり、（ａ）上方から見た状態、（ｂ）逆さにした状態を示す。
【図４】スピーカによって再生された楽音の伝播の方向を説明するための説明図である。
【符号の説明】
【００２７】
１    電子ピアノ（電子鍵盤楽器）
２    ピアノ本体（楽器本体）
１１    本体ケース
１２    棚板
１２ａ  開口
２１    鍵
２２    鍵盤
３０ａ  隙間（導出部）
３０ｂ  隙間（導出部）
３１    スピーカホルダ
３２    スピーカ
３２ａ  放音面
３３    スピーカホルダの上壁
３３ａ  開口
３４    スピーカホルダの下壁
３４ａ  放音孔
【図１】
2008185763.tif 000003
【図２】
2008185763.tif 000004
【図３】
2008185763.tif 000005
【図４】
2008185763.tif 000006